(57)【要約】  【課題】  本発明は、光ディスクの種類を検出するために入力される高周波信号に対する処理を簡単化することで、その回路規模を低減化したディスク検出装置を提供することを目的とする。  【解決手段】  クランプ回路２０において、ベースに直流電圧ＶTLが与えられたｎｐｎトランジスタＴｒ１によって入力される高周波信号の低い電圧レベルをクランプするとともに、ベースに直流電圧ＶTHが与えられたｐｎｐトランジスタＴｒ２によって入力される高周波信号の高い電圧レベルをクランプする。このようにして、クランプ回路２０で二値化した信号に基づいて光ディスクの種類の検出を行う。【選択図】      図２
2006309865.tif 000002
【特許請求の範囲】
【請求項１】
光ピックアップを光ディスクに対して垂直方向に移動させたときに前記光ディスクから反射されるレーザ光に基づいて生成される高周波信号が入力され、入力された該高周波信号に基づいて前記光ディスクの種類を検出するディスク検出装置において、
前記高周波信号を第１の信号値と第２の信号値との間にクランプするクランプ回路と、
該クランプ回路で前記高周波信号をクランプして得た判定用信号の信号値の変化点を確認することで前記光ディスクの種類を判定するディスク判定回路と、
を備えることを特徴とするディスク検出装置。
【請求項２】
前記クランプ回路が、
第１電極に第１直流電圧が印加され、制御電極に前記第１の信号値に応じた第２直流電圧が印加された第１トランジスタと、
第１電極に第３直流電圧が印加され、制御電極に前記第２の信号値に応じた第４直流電圧が印加され、第２電極に前記第１トランジスタの第２電極が接続された前記第１トランジスタと逆極性の第２トランジスタと、
を備え、
前記第１及び第２トランジスタそれぞれの第２電極の接続ノードに前記高周波信号が入力され、前記第１及び第２トランジスタそれぞれの第２電極の接続ノードにクランプ後の前記判定用信号が現れて前記ディスク判定回路に与えられることを特徴とする請求項１に記載のディスク検出装置。
【請求項３】
前記クランプ回路が、
前記第１及び第２トランジスタそれぞれの第２電極の接続ノードに一端が接続され、他端に前記高周波信号が入力されるコンデンサと、
前記第１及び第２トランジスタそれぞれの第２電極と前記コンデンサの一端との接続ノードに一端が接続された定電流源と、
を備えることを特徴とする請求項２に記載のディスク検出装置。
【請求項４】
前記第１トランジスタがｎｐｎトランジスタであり、前記第２トランジスタがｐｎｐトランジスタであることを特徴とする請求項２又は請求項３に記載のディスク検出装置。
【請求項５】
前記ディスク判定回路が、前記判定用信号の信号値の変化点より前記高周波信号の振幅が大きくなったタイミングを検出し、前記高周波信号の振幅が大きくなったタイミングの間の期間の長さに基づいて前記光ディスクの種類を判定することを特徴とする請求項１〜請求項４のいずれかに記載のディスク検出装置。
【発明の詳細な説明】
【技術分野】
【０００１】
本発明は、光ディスクが設置されたときの初期動作として、光ディスクの種類を検出するためのディスク検出装置に関する。
【背景技術】
【０００２】
近年、光ディスクにおいて複数の種類が提供されており、この複数種類の光ディスクに対して記録再生が可能な光ディスク装置が提供されている。そして、光ディスク装置において光ディスクの種類に応じたパラメータによって再生又は記録を行うために、装置内に設置された光ディスクの種類について検出し、検出した光ディスクの種類に対応してサーボ等のパラメータを切り替える必要がある。このような光ディスクの種類は、大きく、ＣＤ（Compact Disc）とＤＶＤ（Digital Versatile Disc）とに分けられる。
【０００３】
更に、ＣＤには、音楽情報を予め記録した再生専用のもの、コンピュータデータを予め記録した再生専用のＣＤ−ＲＯＭ（CD-Read Only Memory）、情報信号を１回だけ記録できる記録再生可能なＣＤ−Ｒ（CD-Recordable）、情報信号を複数回記録できる記録再生可能なＣＤ−ＲＷ（CD-Rewritable）などがある。これらの光ディスクはディスク基板のビーム入射面から略１．２ｍｍ離れた位置にＣＤ信号面が形成されていることを確認することで、ＣＤであることが検出される。
【０００４】
又、ＣＤよりも記録密度を高めたＤＶＤは、デジタル化して圧縮した映像や音声を再生する再生専用のもの、コンピュータデータを予め記録した再生専用のＤＶＤ−ＲＯＭ（DVD-Read Only Memory）、情報信号を１回だけ記録できる記録再生可能なＤＶＤ−Ｒ（DVD-Recordable）、情報信号を複数回記録できる記録再生可能なＤＶＤ−ＲＷ（DVD-Rewritable），ＤＶＤ−ＲＡＭ（DVD- Random Access Memory） などがあり、これらの光ディスクはディスク基板のビーム入射面から略０．６ｍｍ離れた位置に１層又は２層のＤＶＤ信号面が形成されていることを確認することで、ＤＶＤであることが検出される。
【０００５】
更に、１ビット・ダイレクトストリームデジタル技術を採用したＳＡＣＤ（Super Audio CD）がある。このＳＡＣＤは、ディスク基板のビーム入射面から略０．６ｍｍ離れた位置に一般のＣＤプレーヤーでは再生できないＨＤ信号面が形成されるとともに、ディスク基板のビーム入射面から略１．２ｍｍ離れた位置にＣＤ信号面が形成される。このように構成されるハイブリッドＳＡＣＤは、一般のＣＤプレーヤーにおいてＣＤ信号面が再生可能になっている。
【０００６】
このように、光ピックアップからのレーザ光の焦点位置を確認するフォーカスサーチ時に光ディスクのビーム入射面と信号面との距離を計測することで、ＣＤとＤＶＤとの検出を行う光担体判別装置及び光担体判別方法が、従来技術として提供されている（特許文献１参照）。特許文献１の光担体判別装置及び光担体判別方法によると、フォーカスサーチを行う際に、光ピックアップからのレーザ光の反射光を検出することで得られた和信号であるプルイン信号を確認する。このとき、このプルイン信号の信号レベルを閾値レベルと比較することで二値化するとともに、二値化して得られた信号の立ち上がり点を確認することでビーム入射面と信号面とを検出し、その検出した時間差によってビーム入射面と信号面との距離を計測する。
【特許文献１】特開２０００−２９３９３２号公報
【発明の開示】
【発明が解決しようとする課題】
【０００７】
従来の光ディスク装置に設置されるディスク検出装置は、特許文献１の光担体判別装置の例のように、光ディスク設置後の初期設定時におけるフォーカスサーチを行う際に、光ピックアップから得られたプルイン信号に基づいて光ディスクの種類の確認が行われる。このプルイン信号は高周波信号であり、ディスク検出装置では、入力されたプルイン信号のピーク値及びボトム値を保持するとともに、保持したピーク値及びボトム値に基づいて二値化がなされる。そして、この二値化して得られた信号に基づいてビーム入射面と信号面との距離を計測し、光ディスクが検出される。
【０００８】
即ち、例えば、図５のように、従来のディスク検出装置は、入力される高周波信号のピーク値を保持するピークホールド回路１００と、入力される高周波信号のボトム値を保持するボトムホールド回路１０１と、ピークホールド回路１００及びボトムホールド回路１０１それぞれで保持された値を差動増幅する差動増幅回路１０２と、差動増幅回路１０２からの出力と基準値Ｖthとを比較する比較回路１０３と、比較回路１０３で二値化された信号における２点の立ち上がり点を検出しその期間を測定する期間測定回路１０４と、期間測定回路１０４で測定された期間の長さに従って光ディスクの種類を判定するディスク判定回路１０５と、を備える。
【０００９】
このディスク検出装置によると、図６（ａ）のように、光ピックアップによるフォーカスサーチを行って、光ピックアップの対物レンズを光ディスクのデータ記録面に近づけるように上昇させると、まず、光ピックアップからレーザ光の焦点が光ディスクのビーム入射面に当たる。このとき、図６（ｂ）のように、ピークホールド回路１００及びボトムホールド回路１０１それぞれに入力される高周波信号の振幅が大きくなる。そして、更に、図６（ａ）のように、光ピックアップの対物レンズを上昇させると、光ピックアップからレーザ光の焦点が光ディスクの信号面に当たるため、図６（ｂ）のように、入力される高周波信号の振幅が大きくなる。
【００１０】
このような高周波信号が入力されるとき、図６（ｃ）のように、ピークホールド回路１００によって高周波信号のピーク値がホールドされてピーク値側の検波動作が行われるとともに、図６（ｄ）のように、ボトムホールド回路１０１によって高周波信号のボトム値がホールドされてボトム値側の検波動作が行われる。そして、差動増幅回路１０３において、ピークホールド回路１００でピークホールドされた信号が非反転入力端子に入力されるとともに、ボトムホールド回路１０１でボトムホールドされた信号が反転入力端子に入力されて減算される。よって、図６（ｅ）のように、差動増幅回路１０３からボトム値が一定となる信号が出力されるとともに、比較回路１０４によって基準値Ｖthと比較されることで、図６（ｆ）のように、基準値Ｖthより信号レベルが高いときはハイとなるとともに基準値Ｖthより低いときはローとなる二値化された信号が出力される。
【００１１】
この二値化された信号は、光ピックアップからレーザ光の焦点が光ディスクのビーム入射面と信号面とに当たったときに、ローからハイに立ち上がる。よって、期間測定回路１０４によって、図６（ｆ）のような信号が１回目にハイに立ち上がってから２回目にハイに立ち上がるまでの期間Ｔを測定する。そして、期間測定回路１０４で測定した期間Ｔが時間Ｔ１と略等しい場合は、ディスク判定回路１０５において光ディスクがＤＶＤであるものと判定し、期間測定回路１０４で測定した期間Ｔが時間Ｔ２と略等しい場合は、ディスク判定回路１０５において光ディスクがＣＤであるものと判定する。又、ハイへの立ち上がり３回あり、１回目の立ち上がりから２回目の立ち上がりまでの期間が時間Ｔ１と略等しく、又、１回目の立ち上がりから３回目の立ち上がりまでの期間が時間Ｔ２と略等しい場合は、ＳＡＣＤであることを確認する。
【００１２】
このように、従来のディスク検出装置によれば、光ピックアップからの高周波信号を二値化するために、高周波信号を検波するためのピークホールド回路、ボトムホールド回路、及び差動増幅回路が必要となり、その回路規模が大きくなることより、装置の小型化を妨げていた。更に、差動増幅回路から得られた信号を二値化するための比較回路をも必要とするため、その回路規模が更に大きくなる。
【００１３】
このような問題を鑑みて、本発明は、光ディスクの種類を検出するために入力される高周波信号に対する処理を簡単化することで、その回路規模を低減化したディスク検出装置を提供することを目的とする。
【課題を解決するための手段】
【００１４】
上記目的を達成するために、本発明のディスク検出装置は、光ピックアップを光ディスクに対して垂直方向に移動させたときに前記光ディスクから反射されるレーザ光に基づいて生成される高周波信号が入力され、入力された該高周波信号に基づいて前記光ディスクの種類を検出するディスク検出装置において、前記高周波信号を第１の信号値と第２の信号値との間にクランプするクランプ回路と、該クランプ回路で前記高周波信号をクランプして得た判定用信号の信号値の変化点を確認することで前記光ディスクの種類を判定するディスク判定回路と、を備えることを特徴とする。
【００１５】
このようなディスク検出装置において、前記クランプ回路が、第１電極に第１直流電圧が印加され、制御電極に前記第１の信号値に応じた第２直流電圧が印加された第１トランジスタと、第１電極に第２直流電圧が印加され、制御電極に前記第２の信号値に応じた第３直流電圧が印加され、第２電極に前記第１トランジスタの第２電極が接続された前記第１トランジスタと逆極性の第２トランジスタと、を備え、前記第１及び第２トランジスタそれぞれの第２電極の接続ノードに前記高周波信号が入力され、前記第１及び第２トランジスタそれぞれの第２電極の接続ノードにクランプ後の前記判定用信号が現れて前記ディスク判定回路に与えられるものとする。
【００１６】
このとき、前記クランプ回路が、前記第１及び第２トランジスタそれぞれの第２電極の接続ノードに一端が接続され、他端に前記高周波信号が入力されるコンデンサと、前記第１及び第２トランジスタそれぞれの第２電極と前記コンデンサの一端との接続ノードに一端が接続された定電流源と、を備えるものとして、前記クランプ回路内に時定数回路が構成されるものとしても構わない。
【００１７】
又、前記第１トランジスタをｎｐｎトランジスタとするとともに、前記第２トランジスタをｐｎｐトランジスタとしても構わない。このとき、前記第２直流電圧が前記第１の信号値に前記第１トランジスタの閾値電圧を加算した値とするとともに、前記第４直流電圧が前記第２の信号値に前記第２トランジスタの閾値電圧を減算した値とする。
【００１８】
上述のディスク検出装置において、前記ディスク判定回路が、前記判定用信号の信号値の変化点より前記高周波信号の振幅が大きくなったタイミングを検出し、前記高周波信号の振幅が大きくなったタイミングの間の期間の長さに基づいて前記光ディスクの種類を判定するものとしても構わない。
【発明の効果】
【００１９】
本発明によると、ディスク検出装置がクランプ回路によって、その装置の構成を簡単化するとともに小型化することができる。又、クランプ回路についても、２つのトランジスタによって構成するため、その回路構成を簡単な構成とすることができる。更に、コンデンサと定電流源とを設けてその時定数を設定することで、入力される高周波信号の振幅が大きくなったときにクランプ回路が働いたときに、入力された高周波信号のピーク値をクランプした値で保持することができる。これにより、このディスク検出装置を備える光ディスクをも小型化することができる。
【発明を実施するための最良の形態】
【００２０】
本発明の実施形態について、図面を参照して説明する。図１は、光ディスク装置の内部構成を示すブロック図である。尚、本実施形態における光ディスク装置は、光ディスクのデータを読み出して再生動作を行う光ディスク装置を例に挙げて説明するが、光ディスクにデータを書き込んで記録動作を行う光ディスク装置や光ディスクの記録／再生を共に行うことが可能な光ディスク装置であっても構わない。
【００２１】
図１の光ディスク装置は、光ディスク１にレーザ光を照射する光ピックアップ２と、光ディスク１を周方向に回転させるスピンドルモータ３と、不図示のアーム部を介して光ピックアップ２を光ディスク１の径方向に移動させるスレッドモータ６と、光ピックアップ２がディスク１からの反射光を受光することで得られた信号を処理するＲＦ処理装置７と、ＲＦ処理装置７で得られたトラッキングエラー信号やフォーカスエラー信号をデジタル信号に変換するＡＤ変換装置８と、ＲＦ処理装置７で得られたプルイン信号によって光ディスク１の種類を検出するディスク検出装置９と、スピンドルモータ３及びスレッドモータ６を駆動するドライバ装置１０と、ＲＦ処理装置７から与えられるＲＦ信号に基づいてデータを生成するデコーダ装置１１と、ＡＤ変換装置８からのトラッキングエラー信号やフォーカスエラー信号及びディスク検出装置９における検出結果に基づいてドライバ装置１０及び光ピックアップ２の動作制御を行う制御装置１２と、を備える。
【００２２】
このように構成されるとき、光ピックアップ２は、レーザ光を光ディスク１のトラックに集光させる対物レンズ１３と、レーザ光がトラック中心を照射するように光ディスク１の径方向に対物レンズ１３を移動させるトラッキングアクチュエータ４と、レーザ光の照射範囲を適当な広さとするために対物レンズ１３を光ディスク１に対して垂直な方向に移動させるフォーカスアクチュエータ５と、を備える。又、トラッキングアクチュエータ４及びフォーカスアクチュエータ５についても、ドライバ装置１０によって駆動される。
【００２３】
この光ディスク装置において光ディスク１を連続的に再生する場合には、ドライバ装置１０によってスピンドルモータ３が回転制御されることで、光ディスク１を周方向に回転させる。又、光ディスク１のスパイラル状に形成された記録トラックに光ピックアップ２からのレーザ光を追従させるために、光ピックアップ２に対するトラッキングサーボ制御が行われる。即ち、ドライバ装置１０がトラッキングアクチュエータ４を駆動制御して、対物レンズ１３を光ディスク１の径方向にシフトさせる。
【００２４】
このとき、ＲＦ処理装置７で得られたトラッキングエラー信号が、ＡＤ変換装置８でデジタル信号に変換され、制御装置１２を介してドライバ装置１０に与えられる。そして、ドライバ装置１０において、トラッキングエラー信号に基づいて、光ディスク１の径方向の対物レンズ駆動信号を生成する。よって、この径方向の対物レンズ駆動信号によってトラッキングアクチュエータ４が駆動制御され、対物レンズ１３がディスク１の径方向にシフトされる。このようにトラッキングサーボ制御が行われているとき、対物レンズ１３のシフト量が一定量に達すると、ドライバ装置１０からスレッドモータ用駆動信号が発生する。即ち、スレッドモータ６はコギングを有するため、対物レンズ１３のシフト量がある一定量に達すると駆動されて光ピックアップ２をディスク１の径方向に移動させる。
【００２５】
又、ディスク再生時に、光ディスク１は光ピックアップ２と一定間隔となるように回転駆動させるスピンドルモータ３に保持されるとともに、光ディスク１の信号面が光ピックアップ２からのレーザ光の焦点位置となるように光ピックアップ２の位置が設定される。しかしながら、光ディスク１の反りや、スピンドルモータ３の軸の傾きなどで、光ディスク１に面振れが生じる。この光ディスク１の信号面が焦点位置となるように光ピックアップ２からのレーザ光を追従させるために、光ピックアップ２に対するフォーカスサーボ制御が行われる。即ち、ドライバ装置１０がフォーカスアクチュエータ５を駆動制御して、対物レンズ１３を光ディスク１の垂直方向に移動させる。
【００２６】
このとき、ＲＦ処理装置７で得られたフォーカスエラー信号が、ＡＤ変換装置８でデジタル信号に変換され、制御装置１２を介してドライバ装置１０に与えられる。そして、ドライバ装置１０において、フォーカスエラー信号に基づいて、光ディスク１の垂直方向の対物レンズ駆動信号を生成する。よって、この垂直方向の対物レンズ駆動信号によってフォーカスアクチュエータ５が駆動制御され、対物レンズ１３が光ディスク１に垂直な方向に上下にシフトされる。
【００２７】
このフォーカスサーボ制御を始めるとき、まず、光ディスク１の信号面の位置を確認することで、光ピックアップ２とディスク１の最適な距離を探すために、フォーカスサーボ制御への引き込み動作であるフォーカスサーチを行う。このフォーカスサーチは、対物レンズ１３を上昇させて光ディスク１に近づけることによって、光ディスク１の信号面の位置を確認する。このとき、光ピックアップ２からの信号によりＲＦ処理装置７で得られたプルイン信号がディスク検出装置９に与えられて、光ディスク１のビーム入射面と信号面とが確認されることで、光ディスク１の種類が検出される。
【００２８】
このように動作する光ディスク装置におけるディスク検出装置９について、図２〜図４を参照して以下に説明する。尚、図２は、図１の光ディスク装置に備えられるディスク検出装置の内部構成を示すブロック図である。図３は、図２のディスク検出装置に設けられたクランプ回路の入出力関係を示すグラフである。図４は、フォーカスサーチ時の図２のディスク検出装置の各部の信号の状態を示すタイミングチャートである。
【００２９】
ディスク検出装置９は、図２に示すように、ＲＦ処理装置７で得られたプルイン信号が入力される入力端子ＩＮと、入力端子ＩＮと一端が接続されたコンデンサＣと、コンデンサＣの他端にエミッタが接続されたｎｐｎトランジスタＴｒ１及びｐｎｐトランジスタＴｒ２によって構成されるクランプ回路２０と、トランジスタＴｒ１，Ｔｒ２それぞれのエミッタが接続された接続ノードに一端が接続されるとともに他端が接地された定電流源２１と、クランプ回路２０のトランジスタＴｒ１，Ｔｒ２それぞれのエミッタが接続された接続ノードから出力される信号が入力される期間測定回路２２と、期間測定回路２２で測定された期間の長さに従って光ディスクの種類を判定するディスク判定回路２３と、を備える。
【００３０】
又、クランプ回路２０において、トランジスタＴｒ１は、そのコレクタに電源電圧ＶDDが印加されるとともに、そのベースに直流電圧ＶTLが印加され、一方、トランジスタＴｒ２は、そのコレクタが接地されるとともに、そのベースに直流電圧ＶTHが印加される。このトランジスタＴｒ１，Ｔｒ２それぞれのベース・エミッタ間の閾値電圧が、電圧Ｖt1，Ｖt2となるものとする。このクランプ回路２０に対して、ＲＦ処理装置７より与えられた高周波信号であるプルイン信号がコンデンサＣを介して入力されると、電圧値ＶTL−Ｖt1より低い電圧値及び電圧値ＶTH＋Ｖt2より高い電圧値がクランプされる。
【００３１】
即ち、図３に示すように、入力されるプルイン信号の電圧値が電圧値ＶTL−Ｖt1より低い場合、トランジスタＴｒ１のエミッタ・ベース間の電圧が電圧値Ｖt1より大きくなり、トランジスタＴｒ１がＯＮとなる。このとき、トランジスタＴｒ２は、そのエミッタ電圧が低いためＯＦＦの状態である。よって、トランジスタＴｒ１のエミッタに電圧値ＶTL−Ｖt1が現れた状態となり、クランプ回路２０から出力される信号の電圧値が電圧値ＶTL−Ｖt1にクランプされる。又、入力されるプルイン信号の電圧値が電圧値ＶTH＋Ｖt2より高い場合、トランジスタＴｒ２のエミッタ・ベース間の電圧が電圧値Ｖt2より大きくなり、トランジスタＴｒ２がＯＮとなる。このとき、トランジスタＴｒ１は、そのエミッタ電圧が高いためＯＦＦの状態である。よって、トランジスタＴｒ２のエミッタに電圧値ＶTH＋Ｖt2が現れた状態となり、クランプ回路２０から出力される信号の電圧値が電圧値ＶTH＋Ｖt2にクランプされる。
【００３２】
そして、入力されるプルイン信号の電圧値が電圧値ＶTL−Ｖt1以上で且つ電圧値ＶTH＋Ｖt2以下となるとき、トランジスタＴｒ１のエミッタ・ベース間の電圧が電圧値Ｖt1以下となるとともに、トランジスタＴｒ２のエミッタ・ベース間の電圧が電圧値Ｖt2以下となる。そのため、トランジスタＴｒ１，Ｔｒ２双方がＯＦＦとなり、コンデンサＣを介して入力されたプルイン信号がそのままクランプ回路２０から出力されることとなる。
【００３３】
このようなクランプ回路２０を備えたディスク検出装置９の動作について、図４のタイミングチャートを参照して説明する。フォーカスサーチを行うために、図４（ａ）のように、光ピックアップの対物レンズを光ディスクのデータ記録面に近づけるように上昇させる。このとき、光ピックアップ２からのレーザ光の焦点位置に光ディスク１がないため、光ピックアップ２に反射されるレーザ光の光量が小さく、図４（ｂ）のように、ディスク検出装置９に入力されるプルイン信号の値が電圧値ＶTL−Ｖt1よりも低い。そのため、クランプ回路２０から期間測定回路２２に出力される信号の電圧値が、図４（ｃ）のように、クランプ回路２０によって電圧値ＶTL−Ｖt1にクランプされる。
【００３４】
その後、更に光ピックアップ２の対物レンズが光ディスクのデータ記録面に近づくことによって、光ピックアップ２からのレーザ光の焦点が光ディスク１のビーム入射面に当たる。よって、光ピックアップ２に反射されるレーザ光の光量が大きくなって、図４（ｂ）のように、ディスク検出装置９に入力されるプルイン信号の振幅が大きくなる。このとき、プルイン信号の電圧値が電圧値ＶTH＋Ｖt2よりも高くなるため、クランプ回路２０から期間測定回路２２に出力される信号の電圧値が、図４（ｃ）のように、クランプ回路２０によって電圧値ＶTH＋Ｖt2にクランプされる。又、このプルイン信号は高周波信号であるため、周期毎にプルイン信号の電圧値が電圧値ＶTH＋Ｖt2よりも低くなるが、コンデンサＣと定電流源２２による時定数分だけ電圧の変化が遅延する。そのため、コンデンサＣと定電流源２２による時定数をプルイン信号の周期に対して十分に大きくすることで、クランプする電圧値ＶTH＋Ｖt2で保持することができる。
【００３５】
そして、更に光ピックアップ２の対物レンズが光ディスクのデータ記録面に近づくことによって、光ピックアップ２からのレーザ光の焦点が光ディスク１のビーム入射面から外れて、再び、図４（ｂ）のように、ディスク検出装置９に入力されるプルイン信号の値が電圧値ＶTL−Ｖt1よりも低くなる。しかしながら、クランプ回路２０では、コンデンサＣと定電流源２２による時定数分だけ電圧の変化が遅延するため、トランジスタＴｒ１，Ｔｒ２それぞれのエミッタによる接続ノードにおける電圧値が徐々に低くなる。よって、クランプ回路２０から期間測定回路２２に出力される信号の電圧値が、図４（ｃ）のように、徐々に低くなる。
【００３６】
このトランジスタＴｒ１，Ｔｒ２それぞれのエミッタによる接続ノードにおける電圧値が、入力されたプルイン信号の電圧値に応じた電圧値ＶTL−Ｖt1よりも低い値となると、クランプ回路２０によって電圧値ＶTL−Ｖt1にクランプされる。よって、クランプ回路２０から期間測定回路２２に出力される信号の電圧値が、図４（ｃ）のように、クランプ回路２０によって電圧値ＶTL−Ｖt1にクランプされる。
【００３７】
その後、光ピックアップ２からのレーザ光の焦点が光ディスク１の信号面に当たると、ピックアップ２からのレーザ光の焦点が光ディスク１のビーム入射面に当たったときと同様、図４（ｂ）のように、ディスク検出装置９に入力されるプルイン信号の振幅が大きくなる。そして、クランプ回路２０から期間測定回路２２に出力される信号の電圧値が、図４（ｃ）のように、クランプ回路２０によって電圧値ＶTH＋Ｖt2にクランプされるとともに、このクランプされた電圧値ＶTH＋Ｖt2で保持される。そして、光ピックアップ２からのレーザ光の焦点が光ディスク１の信号面から外れると、図４（ｂ）のように、ディスク検出装置９に入力されるプルイン信号の値が電圧値ＶTL−Ｖt1よりも低くなる。よって、クランプ回路２０から期間測定回路２２に出力される信号の電圧値が、図４（ｃ）のように、徐々に低くなった後、電圧値ＶTL−Ｖt1にクランプされる。
【００３８】
この図４（ｃ）のようにクランプ回路２０でクランプされた信号が期間測定回路２２に与えられると、電圧値ＶTL−Ｖt1から電圧値ＶTH＋Ｖt2に変化した点の時刻が計測されることで、光ピックアップ２からのレーザ光の焦点が光ディスク１のビーム入射面及び信号面それぞれに到達した時刻が確認される。そして、光ピックアップ２からのレーザ光の焦点が光ディスク１のビーム入射面に到達してから光ディスク１の信号面に到達するまでの期間（以下、「判定用期間」とする）が確認される。
【００３９】
そして、確認された判定用期間がディスク判定回路２３に与えられると、ディスク判定回路２３では、この判定用期間が長く時間Ｔ２と略等しい場合は、設置された光ディスク１がＣＤであるものと判定する。又、期間測定回路２２で確認された判定用期間が短く時間Ｔ１と略等しい場合は、設置された光ディスク１がＤＶＤであるものと判定する。更に、信号面が２回検出されるとともに、ビーム入射面から１つ目の信号面に到達するまでに測定された判定用期間が時間Ｔ１と略等しく、且つ、ビーム入射面から２つ目の信号面に到達するまでに測定された判定用期間が時間Ｔ２と略等しい場合は、設置された光ディスク１がＳＡＣＤであるものと判定する。
【００４０】
このように、本実施形態のディスク検出装置９は、トランジスタＴｒ１，Ｔｒ２によるクランプ回路２０と定電流源２１とコンデンサＣとによって、期間測定回路２２で判定用期間を測定するための信号を生成することができ、図５に示す従来のディスク検出装置に比べて、その装置を簡単化するとともに小型化することができる。これにより、このディスク検出装置９を備える光ディスクをも小型化することができる。
【産業上の利用可能性】
【００４１】
本発明のディスク検出装置は、光ディスクのデータを読み出して再生動作を行う光ディスク装置、光ディスクにデータを書き込んで記録動作を行う光ディスク装置、光ディスクの記録／再生を共に行うことが可能な光ディスク装置に適用可能である。
【図面の簡単な説明】
【００４２】
【図１】は、光ディスク装置の内部構成を示すブロック図である。
【図２】は、図１の光ディスク装置に備えられるディスク検出装置の内部構成を示すブロック図である。
【図３】は、フォーカスサーチ時の図２のディスク検出装置の各部の信号の状態を示すタイミングチャートである。
【図４】は、図２のディスク検出装置に設けられたクランプ回路の入出力関係を示すグラフである。
【図５】は、従来のディスク検出装置の内部構成を示すブロック図である。
【図６】は、フォーカスサーチ時の図５のディスク検出装置の各部の信号の状態を示すタイミングチャートである。
【符号の説明】
【００４３】
１    光ディスク
２    光ピックアップ
３    スピンドルモータ
４    トラッキングアクチュエータ
５    フォーカスアクチュエータ
６    スレッドモータ
７    ＲＦ処理装置
８    ＡＤ変換装置
９    ディスク検出装置
１０    ドライバ装置
１１    デコーダ装置
１２    制御装置
１３    対物レンズ
２０    クランプ回路
２１    定電流源
２２    期間測定回路
２３    ディスク判定回路
【図１】
2006309865.tif 000003
【図２】
2006309865.tif 000004
【図３】
2006309865.tif 000005
【図４】
2006309865.tif 000006
【図５】
2006309865.tif 000007
【図６】
2006309865.tif 000008